(57)【要約】  ＤＣ／ＤＣ変換回路において、出力電圧と入力電圧とからリアクトル電流のピーク値を求め、所定電流モードでの動作を可能とし、ＡＣ／ＤＣ変換回路において力率改善を行いつつ所定電流モードでの運転を可能とする。  第１制御部（２１１）は、出力電圧（ｅｏ）の検出値を入力し、ＤＣ／ＤＣコンバータ（１）のスイッチ（Ｔｒ）のターンオフタイミング予測値を演算し、スイッチ駆動信号生成部（２１３）に送出する。第２制御部（２１２）は、出力電圧（ｅｏ）および入力電圧（Ｅｉ）の検出値を入力するとともに、第１制御部（２１１）からターンオフタイミング予測値を取得し、当該ターンオフタイミング予測値に基づき、ＤＣ／ＤＣコンバータ（１）のリアクトル電流（ｉＬ）のピーク値を演算するとともに、ピーク値を初期値としてリアクトル電流（ｉＬ）が所定の設定値に減少するまでの時間をターンオンタイミング予測値として演算する。
2013039250.tif 000002
【特許請求の範囲】
【請求項１】
ＤＣ／ＤＣコンバータを有する電力変換回路の制御装置であって、  少なくとも出力電圧の検出値を入力し、これらの検出値に基づきＤＣ／ＤＣコンバータのスイッチのターンオフタイミング予測値を演算し、当該演算結果をスイッチ駆動信号生成部に送出する第１制御部と、  少なくとも前記出力電圧および入力電圧の検出値を入力するとともに、前記第１制御部から前記ターンオフタイミング予測値を取得し、前記検出値および前記ターンオフタイミング予測値に基づき、前記ＤＣ／ＤＣコンバータのリアクトル電流のピーク値を演算するとともに、当該ピーク値を初期値として前記リアクトル電流が所定の設定値に減少するまでの時間または当該時間に付加時間を加えた時間をターンオンタイミング予測値として演算し、当該演算結果を前記スイッチ駆動信号生成部に送出する第２制御部と、  前記第１制御部から前記ターンオフタイミング予測値を受け取り、時刻が当該ターンオフタイミング予測値に達したときに前記スイッチをターンオフし、前記第２制御部から前記ターンオンタイミング予測値を受け取り、時刻が当該ターンオンタイミングに達したときに前記スイッチをターンオンするスイッチ駆動信号生成部と、を備えたことを特徴とする電力変換回路の制御装置。
【請求項２】
前記第２制御部は、前記リアクトル電流のピーク値を演算するに際して、少なくとも直前の前記リアクトル電流のボトム値を初期値とすることを特徴とする請求項１に記載の電力変換回路の制御装置。
【請求項３】
前記第２制御部は、前記ターンオンタイミング予測値を演算するに際して、前記リアクトル電流についての前記所定の設定値をゼロとすることを特徴とする請求項１または２に記載の電力変換回路の制御装置。
【請求項４】
前記第２制御部は、  前記ＤＣ／ＤＣコンバータを構成する前記スイッチとダイオードとのオンまたはオフを表わす動作ステータスに応じた等価回路に基づき、  前記リアクトル電流のピーク値を求める第１微分方程式を立て、当該第１微分方程式を解くことで当該リアクトル電流のピーク値を求めるとともに、  前記リアクトル電流が所定値になるまでの時間を求める第２微分方程式を立て、前記ピーク電流の値を初期値として当該第２微分方程式を解くことで、当該リアクトル電流が前記所定の設定値となる時刻を求める、ことを特徴とする請求項１から３の何れか１つに記載の電力変換回路の制御装置。
【請求項５】
前記第１微分方程式が、前記スイッチがオンかつ前記ダイオードがオフである動作ステータスの等価回路から得られ、  前記第２微分方程式が、前記スイッチがオフかつ前記ダイオードがオンである動作ステータスの等価回路から得られることを特徴とする請求項４に記載の電力変換回路の制御装置。
【請求項６】
電力変換回路が昇降圧型のときは、  第１微分方程式が、    Ｔon＝ｔ2−ｔ1    Ｅi−ｖTr＝Ｌ（ｄｉL／ｄｔ）＋ｒLｉL    ｅo＝ｅc・Ｒ／（Ｒ＋ｒc）    ｅc／（Ｒ＋ｒc）＝−Ｃ・（ｄｅc／ｄｔ）    Ｅi*＝Ｅi−ｖTrに基づき作成されるとともに、  第２微分方程式が、    Ｔoff＝ｔ3−ｔ2    −ｖD＝Ｌ（ｄｉL／ｄｔ）＋ｒLｉL＋ｅo    ｉL1＝Ｃ・（ｄｅc／ｄｔ）    ｅo＝ｅc＋ｒcｉL1    ｅo＝ＲｉL2    ｉL＝ｉL1＋ｉL2    ｅo＝ｅc・Ｒ／（Ｒ＋ｒc）＋ｉL・Ｒ・ｒc／（Ｒ＋ｒc）に基づき作成され、  電力変換回路が降圧型のときは、  第１微分方程式が、    Ｔon＝ｔ2−ｔ1    Ｅi−ｖTr＝Ｌ（ｄｉL／ｄｔ）＋ｒLｉL＋ｅo    ｅo＝ｅc・Ｒ／（Ｒ＋ｒc）    ｅc／（Ｒ＋ｒc）＝−Ｃ・（ｄｅc／ｄｔ）    Ｅi*＝Ｅi−ｖTrに基づき作成されるとともに、  第２微分方程式が、    Ｔoff＝ｔ3−ｔ2    −ｖD＝Ｌ（ｄｉL／ｄｔ）＋ｒLｉL＋ｅo    ｉL1＝Ｃ・（ｄｅc／ｄｔ）    ｅo＝ｅc＋ｒcｉL1    ｅo＝ＲｉL2    ｉL＝ｉL1＋ｉL2    ｅo＝ｅc・Ｒ／（Ｒ＋ｒc）＋ｉL・Ｒ・ｒc／（Ｒ＋ｒc）に基づき作成され、  電力変換回路が昇圧型のときは、  第１微分方程式が、    Ｔon＝ｔ2−ｔ1    Ｅi−ｖTr＝Ｌ（ｄｉL／ｄｔ）＋ｒLｉL    ｅo＝ｅc・Ｒ／（Ｒ＋ｒc）    ｅc／（Ｒ＋ｒc）＝−Ｃ・（ｄｅc／ｄｔ）    Ｅi*＝Ｅi−ｖTrに基づき作成されるとともに、  第２微分方程式が、    Ｔoff＝ｔ3−ｔ2    Ｅi−ｖD＝Ｌ（ｄｉL／ｄｔ）＋ｒLｉL＋ｅo    ｉL1＝Ｃ・（ｄｅc／ｄｔ）    ｅo＝ｅc＋ｒcｉL1    ｅo＝ＲｉL2    ｉL＝ｉL1＋ｉL2    ｅo＝ｅc・Ｒ／（Ｒ＋ｒc）＋ｉL・Ｒ・ｒc／（Ｒ＋ｒc）に基づき作成されることを特徴とする請求項４に記載の電力変換回路の制御装置。  ただし、  Ｔon（＝ｔ2−ｔ1）：スイッチのＯＮ時間  Ｔoff（＝ｔ3−ｔ2）：スイッチのＯＦＦ時間  Ｅi：入力電圧  Ｅi*：入力電圧の平均値  ｖTr：トランジスタのオン時の電圧降下  ｖD：ダイオードの電圧降下  ｉL：リアクトル電流  ｉL1：キャパシタからリアクトルに流れる電流  ｉL2：負荷からリアクトルに流れる電流  ｅo：出力電圧  ｅc：キャパシタ電圧  Ｒ：負荷抵抗  ｒL：リアクトル抵抗  ｒc：キャパシタ抵抗  Ｃ：キャパシタ
【請求項７】
ＡＣ電力を整流する整流回路と、当該整流回路により整流した電圧を入力してＤＣ電圧に変換するスイッチング電源とからなる電力変換回路の制御装置であって、  前記スイッチング電源の少なくとも出力電圧の検出値を入力し、当該スイッチング電源の力率を改善するように前記検出値に基づき前記スイッチング電源を構成するスイッチのターンオフタイミング予測値を演算する第１制御部と、  前記スイッチング電源の少なくとも入力電圧および前記ターンオフタイミング予測値を取得し、前記電力変換回路のリアクトル電流のピーク値を演算するとともに、当該ピーク値を初期値として前記リアクトル電流が所定の設定値に減少するまでの時間または当該時間に付加時間を加えた時間をターンオンタイミング予測値として演算する第２制御部と、を備えたことを特徴とする電力変換回路の制御装置。
【請求項８】
ＡＣ電力を整流する整流回路と、当該整流回路により整流した電圧を入力してＤＣ電圧に変換するスイッチング電源とからなる電力変換回路の制御装置であって、  少なくとも前記電力変換回路の出力電圧の検出値を入力し、前記スイッチング電源を構成するスイッチのターンオフタイミング基礎値を演算する第１制御部と、  少なくとも前記電力変換回路の入力電圧および前記スイッチのターンオフタイミング予測値を取得し、前記電力変換回路のリアクトル電流のピーク値を演算するとともに、当該ピーク値を初期値として前記リアクトル電流が所定の設定値に減少するまでの時間または当該時間に付加時間を加えた時間を前記スイッチのターンオンタイミング予測値として演算する第２制御部と、  少なくとも前記ターンオフタイミング基礎値を入力し、当該ターンオフタイミング基礎値に対して力率改善のための補正量を加えた前記ターンオフタイミング予測値を演算する第３制御部と、  前記第１制御部から前記ターンオフタイミング予測値を受け取り、当該ターンオフタイミング予測値に達したときに前記スイッチをターンオフし、前記第２制御部から前記ターンオンタイミング予測値を受け取り、当該ターンオンタイミング予測値に達したときに前記スイッチをターンオンするスイッチ駆動信号生成部と、を備えたことを特徴とする電力変換回路の制御装置。
【請求項９】
前記ターンオフタイミング基礎値は、比例制御量、微分制御量、積分制御量またはこれらの少なくとも２つを組み合わせた制御量であることを特徴とする請求項８に記載の電力変換回路の制御装置。
【請求項１０】
前記第２制御部は、前記リアクトル電流のピーク値を演算するに際して、少なくとも直前の前記リアクトル電流のボトム値を初期値とすることを特徴とする請求項８に記載の電力変換回路の制御装置。
【請求項１１】
前記第２制御部は、前記ターンオンタイミング予測値を演算するに際して、前記リアクトル電流についての前記所定の設定値をゼロとすることを特徴とすることを特徴とする請求項８に記載の電力変換回路の制御装置。
【請求項１２】
前記第２制御部は、ＤＣ／ＤＣコンバータを構成するスイッチと、ダイオードとのオンまたはオフに応じた動作ステータスに応じた等価回路に基づき、  リアクトル電流のピーク値を求める第１微分方程式を立て、当該第１微分方程式を解くことで当該リアクトル電流のピーク値を求めるとともに、  前記リアクトル電流が所定値になるまでの時間を求める第２微分方程式を立て、前記ピーク電流の値を初期値として当該第２微分方程式を解くことで、当該リアクトル電流が前記所定の設定値となる時刻を求める、ことを特徴とする請求項８に記載の電力変換回路の制御装置。
【発明の詳細な説明】
【技術分野】
【０００１】  本発明は、消費電力を低減できる電力変換回路の制御装置および力率を改善できる電力変換回路の制御装置に関し、具体的にはリアクトル電流のピーク値を求め、当該ピーク値を初期値としてリアクトル電流が所定値となる時刻を演算により予測してスイッチをオンするＤＣ／ＤＣ変換、ＡＣ／ＤＣ変換を行う電力変換回路の制御装置に関する。
【背景技術】
【０００２】  図２１（Ａ）は、電流臨界モードで動作する昇降圧型のＤＣ／ＤＣコンバータ９１および制御装置９２を示している。  ＤＣ／ＤＣコンバータ９１は、電源ＰＳDC（直流の入力電圧Ｅi）と、トランジスタスイッチＴｒとリアクトルＬとダイオードＤとキャパシタＣとからなる。  電源ＰＳDCは、トランジスタスイッチＴｒの一方端子に接続され、トランジスタスイッチＴｒの他方端子は、リアクトルＬの一方端子およびダイオードＤのカソードに接続されている。リアクトルＬの他方端子は接地されている。  ダイオードＤのアノードは、キャパシタＣの一方端子および負荷Ｒに接続されており、キャパシタＣの他方端子は接地され、負荷Ｒの他方端子も接地されている。  図２１（Ａ）では、リアクトルＬには、直列にリアクトル電流ｉLを測定するための抵抗（測定用抵抗）ｒLが設けられる。【０００３】  制御装置９２は、制御回路９２１とドライバ９２２を備えている。  制御回路９２１は、ＤＣ／ＤＣコンバータ９１の入力電圧（入力電圧Ｅi）と出力電圧ｅoとリアクトル電流ｉLとを入力して、電流臨界モードでの制御を行うことができる。  電流臨界モードは、リアクトル電流ｉLが鋸波形状（または概略鋸波形状）を呈し、最下点電流値がゼロ（またはゼロに近い値）となるような制御モードを意味している。  制御装置９２は、リアクトルＬの端子間電圧（リアクトル電圧ｖL）を測定する。そして、図２１（Ｂ）に示す、ＯＮ期間（ｔ1〜ｔ2）中のリアクトル電流ｉLの傾きｖL／Ｌ（＝ｍ1）と、ＯＦＦ期間中のリアクトル電流ｉLの傾き（ｅo−ｖL）／Ｌ（＝ｍ2）とから、ｉL＝０となる時刻（すなわち、ターンオンタイミング）を求めている。  これにより、上述した電流臨界モード制御を行うことができる。【０００４】  図２２（Ａ）は、他の昇降圧型のＤＣ／ＤＣコンバータ９３および制御装置９４を示している。  図２２（Ａ）では、リアクトルＬには測定用二次巻き線ＴLが設けられている。  制御装置９４は、制御回路９４１とドライバ９４２を備えている。  制御回路９４１は、ＤＣ／ＤＣコンバータ９３の入力電圧（入力電圧Ｅi）と出力電圧ｅoとリアクトル電圧ｖLとを入力して、電流臨界モードでの制御を行うことができる。  図２２（Ａ）に示すように、リアクトル電圧ｖLが測定電圧ｖL′として測定され、制御回路９４１は、Ｌｄｉ＝−ｖLｄｔの関係式から、ｉL＝０の時刻を求めている。【０００５】  図２３は、上記のリアクトル電流の検出技術を用いたＡＣ／ＤＣコンバータ（スイッチング電源）９５および制御装置９６を示している。  図２３では、ＡＣ／ＤＣコンバータ９５の入力側には、交流電力を入力する整流回路ＲＣＤが備えられている。  制御装置９６は、制御回路９６１とドライバ９６２を備えている。  制御回路９６１には、第３制御部（力率改善部）９６１１が含まれ、第３制御部９６１１が生成する制御量により、たとえばＡＣ／ＤＣコンバータ９５の力率を改善しつつ、電流臨界モードで動作させることができる。
【先行技術文献】
【非特許文献】
【０００６】
【非特許文献１】Ｃｈｉａ−Ａｎ  Ｙｅｈ  ｅｔ  ａｌ  Ｐｒｏｃ．  ＩＥＥＥＥＣＣＥ，  ｐｐ．  １２２６−１２３１（２０１０）．
【発明の開示】
【発明が解決しようとする課題】
【０００７】  しかし、図２１（Ａ）のＤＣ／ＤＣコンバータ９１を電流臨界モードで動作させるためには、リアクトル電流ｉLを測定するための測定用抵抗ｒLが必要である。このため、測定用抵抗ｒLによる電力損失が増加するという問題がある。また、図２２（Ａ）のＤＣ／ＤＣコンバータ９３を電流臨界モードで動作させるためには、リアクトル電流ｉLを測定するために２次巻き線ＴLが必要となり、装置が複雑化する。  もちろん、図２３のＡＣ／ＤＣコンバータ９５でも同様の問題が生じる。【０００８】  しかも、図２１（Ａ）の制御回路９２１、図２２（Ａ）の制御回路９４１、図２３の制御回路９６１は、何れも、リアクトル電流ｉLの勾配を直線近似しているため誤差が生じ易い。【０００９】  本発明の目的は、出力電圧と入力電圧とからリアクトル電流のピーク値を求め、所定電流モードでの動作を可能とするＤＣ／ＤＣ変換回路の制御装置を提供することである。  本発明の他の目的は、力率改善を行いつつ所定電流モードでの運転を可能とするＡＣ／ＤＣ変換回路の制御装置を提供することである。
【課題を解決するための手段】
【００１０】  本発明は、以下を要旨とする。（１）  ＤＣ／ＤＣコンバータを有する電力変換回路の制御装置であって、  少なくとも出力電圧の検出値を入力し、これらの検出値に基づきＤＣ／ＤＣコンバータのスイッチのターンオフタイミング予測値を演算し、当該演算結果をスイッチ駆動信号生成部に送出する第１制御部と、  少なくとも前記出力電圧および入力電圧の検出値を入力するとともに、前記第１制御部から前記ターンオフタイミング予測値を取得し、前記検出値および前記ターンオフタイミング予測値に基づき、前記ＤＣ／ＤＣコンバータのリアクトル電流のピーク値を演算するとともに、当該ピーク値を初期値として前記リアクトル電流が所定の設定値に減少するまでの時間または当該時間に付加時間を加えた時間をターンオンタイミング予測値として演算し、当該演算結果を前記スイッチ駆動信号生成部に送出する第２制御部と、  前記第１制御部から前記ターンオフタイミング予測値を受け取り、時刻が当該ターンオフタイミング予測値に達したときに前記スイッチをターンオフし、前記第２制御部から前記ターンオンタイミング予測値を受け取り、時刻が当該ターンオンタイミングに達したときに前記スイッチをターンオンするスイッチ駆動信号生成部と、を備えたことを特徴とする電力変換回路の制御装置。  （１）の態様では、第１制御部は、入力電圧の他に、出力電流、入力電圧、出力電力、入力電流、スイッチを流れる電流、スイッチの端子間電圧、リアクトルを流れる電流、リアクトルの端子間電圧、負荷の値等を入力して制御量の生成に用いることができる。また、第２制御部は、入力電圧および出力電圧の他に、出力電流、出力電力、入力電流、スイッチを流れる電流、スイッチの端子間電圧、リアクトルを流れる電流、リアクトルの端子間電圧、負荷の値等を入力して制御量の生成に用いることができる。【００１１】（２）  前記第２制御部は、前記リアクトル電流のピーク値を演算するに際して、少なくとも直前（たとえば、１スイッチング周期前）の前記リアクトル電流のボトム値を初期値とすることを特徴とする（１）に記載の電力変換回路の制御装置。【００１２】（３）  前記第２制御部は、前記ターンオンタイミング予測値を演算するに際して、前記リアクトル電流についての前記所定の設定値をゼロとすることを特徴とする（１）または（２）に記載の電力変換回路の制御装置。【００１３】（４）  前記第２制御部は、  前記ＤＣ／ＤＣコンバータを構成する前記スイッチとダイオードとのオンまたはオフを表わす動作ステータスに応じた等価回路に基づき、  前記リアクトル電流のピーク値を求める第１微分方程式を立て、当該第１微分方程式を解くことで当該リアクトル電流のピーク値（電流臨界モードでのターンオフタイミング、すなわちオン時間）を求めるとともに、  前記リアクトル電流が所定値になるまでの時間を求める第２微分方程式を立て、前記ピーク電流の値を初期値として当該第２微分方程式を解くことで、当該リアクトル電流が前記所定の設定値となる時刻（電流臨界モードでのターンオンタイミング（ゼロクロス点）、すなわちオフ時間）を求める、ことを特徴とする（１）から（３）の何れか１つに記載の電力変換回路の制御装置。【００１４】（５）  前記第１微分方程式が、前記スイッチがオンかつ前記ダイオードがオフである動作ステータスの等価回路から得られ、  前記第２微分方程式が、前記スイッチがオフかつ前記ダイオードがオンである動作ステータスの等価回路から得られることを特徴とする（４）に記載の電力変換回路の制御装置。【００１５】（６）  電力変換回路が昇降圧型のときは、  第１微分方程式が、    Ｔon＝ｔ2−ｔ1    Ｅi−ｖTr＝Ｌ（ｄｉL／ｄｔ）＋ｒLｉL    ｅo＝ｅc・Ｒ／（Ｒ＋ｒc）    ｅc／（Ｒ＋ｒc）＝−Ｃ・（ｄｅc／ｄｔ）    Ｅi*＝Ｅi−ｖTrに基づき作成されるとともに、  第２微分方程式が、    Ｔoff＝ｔ3−ｔ2    −ｖD＝Ｌ（ｄｉL／ｄｔ）＋ｒLｉL＋ｅo    ｉL1＝Ｃ・（ｄｅc／ｄｔ）    ｅo＝ｅc＋ｒcｉL1    ｅo＝ＲｉL2    ｉL＝ｉL1＋ｉL2    ｅo＝ｅc・Ｒ／（Ｒ＋ｒc）＋ｉL・Ｒ・ｒc／（Ｒ＋ｒc）に基づき作成され、  電力変換回路が降圧型のときは、  第１微分方程式が、    Ｔon＝ｔ2−ｔ1    Ｅi−ｖTr＝Ｌ（ｄｉL／ｄｔ）＋ｒLｉL＋ｅo    ｅo＝ｅc・Ｒ／（Ｒ＋ｒc）    ｅc／（Ｒ＋ｒc）＝−Ｃ・（ｄｅc／ｄｔ）    Ｅi*＝Ｅi−ｖTrに基づき作成されるとともに、  第２微分方程式が、    Ｔoff＝ｔ3−ｔ2    −ｖD＝Ｌ（ｄｉL／ｄｔ）＋ｒLｉL＋ｅo    ｉL1＝Ｃ・（ｄｅc／ｄｔ）    ｅo＝ｅc＋ｒcｉL1    ｅo＝ＲｉL2    ｉL＝ｉL1＋ｉL2    ｅo＝ｅc・Ｒ／（Ｒ＋ｒc）＋ｉL・Ｒ・ｒc／（Ｒ＋ｒc）に基づき作成され、  電力変換回路が昇圧型のときは、  第１微分方程式が、    Ｔon＝ｔ2−ｔ1    Ｅi−ｖTr＝Ｌ（ｄｉL／ｄｔ）＋ｒLｉL    ｅo＝ｅc・Ｒ／（Ｒ＋ｒc）    ｅc／（Ｒ＋ｒc）＝−Ｃ・（ｄｅc／ｄｔ）    Ｅi*＝Ｅi−ｖTrに基づき作成されるとともに、  第２微分方程式が、    Ｔoff＝ｔ3−ｔ2    Ｅi−ｖD＝Ｌ（ｄｉL／ｄｔ）＋ｒLｉL＋ｅo    ｉL1＝Ｃ・（ｄｅc／ｄｔ）    ｅo＝ｅc＋ｒcｉL1    ｅo＝ＲｉL2    ｉL＝ｉL1＋ｉL2    ｅo＝ｅc・Ｒ／（Ｒ＋ｒc）＋ｉL・Ｒ・ｒc／（Ｒ＋ｒc）に基づき作成されることを特徴とする（４）に記載の電力変換回路の制御装置。  ただし、  Ｔon（＝ｔ2−ｔ1）：スイッチのＯＮ時間  Ｔoff（＝ｔ3−ｔ2）：スイッチのＯＦＦ時間  Ｅi：入力電圧  Ｅi*：入力電圧の平均値  ｖTr：トランジスタのオン時の電圧降下  ｖD：ダイオードの電圧降下  ｉL：リアクトル電流  ｉL1：キャパシタからリアクトルに流れる電流  ｉL2：負荷からリアクトルに流れる電流  ｅo：出力電圧  ｅc：キャパシタ電圧  Ｒ：負荷抵抗  ｒL：リアクトル抵抗  ｒc：キャパシタ抵抗  Ｃ：キャパシタ【００１６】（７）  ＡＣ電力を整流する整流回路と、当該整流回路により整流した電圧を入力してＤＣ電圧に変換するスイッチング電源とからなる電力変換回路の制御装置であって、  前記スイッチング電源の少なくとも出力電圧の検出値を入力し、当該スイッチング電源の力率を改善するように前記検出値に基づき前記スイッチング電源を構成するスイッチのターンオフタイミング予測値を演算する第１制御部と、  前記スイッチング電源の少なくとも入力電圧および前記ターンオフタイミング予測値を取得し、前記電力変換回路のリアクトル電流のピーク値を演算するとともに、当該ピーク値を初期値として前記リアクトル電流が所定の設定値に減少するまでの時間または当該時間に付加時間を加えた時間をターンオンタイミング予測値として演算する第２制御部と���を備えたことを特徴とする電力変換回路の制御装置。  （７）の態様では、第１制御部は、出力電圧の他に、出力電流、入力電圧、出力電力、入力電流、スイッチを流れる電流、スイッチの端子間電圧、リアクトルを流れる電流、リアクトルの端子間電圧、負荷の値等を入力して制御量の生成に用いることができる。また、第２制御部は、入力電圧およびターンオフタイミング予測値の他に、出力電圧、出力電流、出力電力、入力電流、スイッチを流れる電流、スイッチの端子間電圧、リアクトルを流れる電流、リアクトルの端子間電圧、負荷の値等を入力して制御量の生成に用いることができる。【００１７】（８）  ＡＣ電力を整流する整流回路と、当該整流回路により整流した電圧を入力してＤＣ電圧に変換するスイッチング電源とからなる電力変換回路の制御装置であって、  少なくとも前記電力変換回路の出力電圧の検出値を入力し、前記スイッチング電源を構成するスイッチのターンオフタイミング基礎値を演算する第１制御部と、  少なくとも前記電力変換回路の入力電圧および前記スイッチのターンオフタイミング予測値を取得し、前記電力変換回路のリアクトル電流のピーク値を演算するとともに、当該ピーク値を初期値として前記リアクトル電流が所定の設定値に減少するまでの時間または当該時間に付加時間を加えた時間を前記スイッチのターンオンタイミング予測値として演算する第２制御部と、  少なくとも前記ターンオフタイミング基礎値を入力し、当該ターンオフタイミング基礎値に対して力率改善のための補正量を加えた前記ターンオフタイミング予測値を演算する第３制御部と、  前記第１制御部から前記ターンオフタイミング予測値を受け取り、当該ターンオフタイミング予測値に達したときに前記スイッチをターンオフし、前記第２制御部から前記ターンオンタイミング予測値を受け取り、当該ターンオンタイミング予測値に達したときに前記スイッチをターンオンするスイッチ駆動信号生成部と、を備えたことを特徴とする電力変換回路の制御装置。  （８）の態様では、第１制御部は、出力電圧の他に、出力電流、入力電圧、出力電力、入力電流、スイッチを流れる電流、スイッチの端子間電圧、リアクトルを流れる電流、リアクトルの端子間電圧、負荷の値等を入力して制御量の生成に用いることができる。  また、第２制御部は、入力電圧および出力電圧の他に、出力電流、出力電力、入力電流、スイッチを流れる電流、スイッチの端子間電圧、リアクトルを流れる電流、リアクトルの端子間電圧、負荷の値等を入力して制御量の生成に用いることができる。  なお、第３制御部は、ターンオフタイミング基礎値のほか、入力電圧の検出値、第２制御部からリアクトル電流ピーク値を入力し、これらに基づき、力率改善の補正量を加えたターンオフタイミング予測値を生成する。  第２制御部は、入力電圧の検出値およびターンオフタイミング予測値のほか、出力電圧を入力し、これらに基づき、電力変換回路のリアクトル電流のピーク値を演算する。  また、第２制御部は、入力電圧の検出値およびターンオフタイミング予測値のほか、出力電圧の検出値を入力し、これらに基づき、電力変換回路のリアクトル電流のピーク値を演算することができる。【００１８】（９）  前記ターンオ���タイミング基礎値は、比例制御量、微分制御量、積分制御量またはこれらの少なくとも２つを組み合わせた制御量であることを特徴とする（８）に記載の電力変換回路の制御装置。【００１９】（１０）  前記第２制御部は、前記リアクトル電流のピーク値を演算するに際して、少なくとも直前（たとえば、第１スイッチング周期前）の前記リアクトル電流のボトム値を初期値とすることを特徴とする（８）または（９）に記載の電力変換回路の制御装置。【００２０】（１１）  前記第２制御部は、前記ターンオンタイミング予測値を演算するに際して、前記リアクトル電流についての前記所定の設定値をゼロとすることを特徴とすることを特徴とする（８）から（１０）の何れか１つに記載の電力変換回路の制御装置。【００２１】（１２）  前記第２制御部は、ＤＣ／ＤＣコンバータを構成するスイッチと、ダイオードとのオンまたはオフに応じた動作ステータスに応じた等価回路に基づき、  リアクトル電流のピーク値を求める第１微分方程式を立て、当該第１微分方程式を解くことで当該リアクトル電流のピーク値を求めるとともに、  前記リアクトル電流が所定値になるまでの時間を求める第２微分方程式を立て、前記ピーク電流の値を初期値として当該第２微分方程式を解くことで、当該リアクトル電流が前記所定の設定値となる時刻を求める、ことを特徴とする（８）から（１１）の何れか１つに記載の電力変換回路の制御装置。
【発明の効果】
【００２２】  本発明のＤＣ／ＤＣコンバータの制御装置では、出力電圧と入力電圧とからリアクトル電流のピーク値を求め、当該ピーク値からリアクトル電流が所定の値になる時刻を演算により予測し、制御を行っている。  したがって、リアクトル電流を測定するための抵抗や二次巻き線を用いていないので、無駄な電力を消費することはないし、回路の簡素化を図ることもできる。【００２３】  また、本発明では、リアクトル電流のピーク値を求めるために、リアクトル電流の勾配を求めて直線近似する、といった従来の手法を採用していない。本発明では、リアクトル電流のピーク値を簡単な微分方程式（本発明における第１微分方程式）を解き、当該ピーク値からリアクトル電流が所定の値になる時刻を演算により予測する制御を行うことができる。したがって、精度が高い、電流連続モード動作や電流臨界モード動作が可能となる。【００２４】  本発明の制御装置では、出力電圧と入力電圧とから検出したリアクトル電流のピーク値から、たとえばリアクトル電流の平均値等を求めることができ、実質上、リアクトル電流制御を行うことができる。したがって、リアクトル電流を直接検出をすることなく、力率の改善を行うことができる。
【図面の簡単な説明】
【００２５】
【図１】図１（Ａ）は、本発明の制御装置を昇降圧型のＤＣ／ＤＣコンバータに適用した実施形態を示す図であり、図１（Ｂ）は制御装置の動作を示す流れ図である。
【図２】図２は、本発明の制御装置を降圧型のＤＣ／ＤＣコンバータに適用した実施形態を示す図である。
【図３】図３は、本発明の制御装置を昇圧型のＤＣ／ＤＣコンバータに適用した実施形態を示す図である。
【図４】図４は、図１に示したＤＣ／ＤＣコンバータの制御装置の詳しい説明図である。
【図５】図５は、トランジスタスイッチＴｒのオン・オフ状態の遷移およびリアクトル電流の変化を示す図であり、図５（Ａ）は図１のＤＣ／ＤＣコンバータが電流連続モードで動作するときの波形図、図５（Ｂ）は同じく電流不連続モードで動作するときの波形図である。
【図６】図６は、図１のＤＣ／ＤＣコンバータが電流臨界モードで動作するときの、トランジスタスイッチＴｒのオン・オフ状態の遷移およびリアクトル電流の変化を示す波形図である。
【図７】図７（Ａ）はＤＣ／ＤＣコンバータの動作ステータスを示す図であり、図８（Ｂ）は動作モードの説明図である。
【図８】図８は、昇降圧型のＤＣ／ＤＣコンバータの動作ステータスがＯＳ＿１のときの動作説明図であり、図８（Ａ）はＤＣ／ＤＣコンバータの等価回路を示す図、図８（Ｂ）はトランジスタスイッチのオン・オフ状態の遷移およびリアクトル電流の変化を示す波形図である。
【図９】図９は、昇降圧型のＤＣ／ＤＣコンバータの動作ステータスがＯＳ＿２のときの動作説明図であり、図９（Ａ）はＤＣ／ＤＣコンバータの等価回路を示す図、図９（Ｂ）はトランジスタスイッチのオン・オフ状態の遷移およびリアクトル電流の変化を示す波形図である。
【図１０】図１０は、降圧型のＤＣ／ＤＣコンバータの動作ステータスがＯＳ＿１のときの動作説明図であり、図１０（Ａ）はＤＣ／ＤＣコンバータの等価回路を示す図、図１０（Ｂ）はトランジスタスイッチのオン・オフ状態の遷移およびリアクトル電流の変化を示す波形図である。
【図１１】図１１は、降圧型のＤＣ／ＤＣコンバータの動作ステータスがＯＳ＿２のときの動作説明図であり、図１１（Ａ）はＤＣ／ＤＣコンバータの等価回路を示す図、図１１（Ｂ）はトランジスタスイッチのオン・オフ状態の遷移およびリアクトル電流の変化を示す波形図である。
【図１２】図１２は、昇圧型のＤＣ／ＤＣコンバータの動作ステータスがＯＳ＿１のときの動作説明図であり、図１２（Ａ）はＤＣ／ＤＣコンバータの等価回路を示す図、図１２（Ｂ）はトランジスタスイッチのオン・オフ状態の遷移およびリアクトル電流の変化を示す波形図である。
【図１３】図１３は、昇圧型のＤＣ／ＤＣコンバータの動作ステータスがＯＳ＿２のときの動作説明図であり、図１３（Ａ）はＤＣ／ＤＣコンバータの等価回路を示す図、図１３（Ｂ）はトランジスタスイッチのオン・オフ状態の遷移およびリアクトル電流の変化を示す波形図である。
【図１４】図１４は、本発明の制御装置により、昇降圧型のＤＣ／ＤＣコンバータを電流臨界モードで制御したときのシミュレーション例を示すグラフである。
【図１５】図１５は、本発明の制御装置（ＡＣ／ＤＣコンバータの制御装置）の一実施形態を示す図である。
【図１６】図１６は、図１５に示したＡＣ／ＤＣコンバータの制御装置の詳しい説明図である。
【図１７】図１７は、本発明の制御装置（ＡＣ／ＤＣコンバータの制御装置）のさらに他の実施形態を示す図である。
【図１８】図１８は、第３制御部を備えた本発明の制御装置（ＡＣ／ＤＣコンバータの制御装置）の一実施形態を示す図である。
【図１９】図１９は、図１８に示したＡＣ／ＤＣコンバータの制御装置の詳しい説明図である。
【図２０】図２０は、第３制御部を備えた本発明の制御装置（ＡＣ／ＤＣコンバータの制御装置）のさらに他の実施形態を示す図である。
【図２１】図２１は、従来技術の説明図であり、図２１（Ａ）は昇降圧型のＤＣ／ＤＣコンバータおよびリアクトル電流を検出してゼロ点制御を行う制御装置を示す図、図２１（Ｂ）はトランジスタスイッチのオン・オフ状態の遷移およびリアクトル電流の変化を示す波形図である。
【図２２】図２２は、従来技術の説明図であり、図２２（Ａ）は昇降圧型のＤＣ／ＤＣコンバータおよびリアクトル電圧を検出してゼロ点制御を行う制御装置を示す図、図２２（Ｂ）はトランジスタスイッチのオン・オフ状態の遷移およびリアクトル電流の変化を示す波形図である。
【図２３】図２３は、第３制御部を備えた従来の昇降圧型の電力変換回路（ＡＣ／ＤＣコンバータ）を示す図である。
【発明を実施するための形態】
【００２６】  図１（Ａ）は、本発明の制御装置の一実施形態を示しており、ＤＣ／ＤＣコンバータ１は制御装置２により制御される。  図１（Ａ）のＤＣ／ＤＣコンバータ１は、昇降圧型であり、電源ＰＳDC（直流の入力電圧Ｅi）と、トランジスタスイッチＴｒと、リアクトルＬと、ダイオードＤと、キャパシタＣとからなる。
【００２７】  電源ＰＳDCは、トランジスタスイッチＴｒの一方端子に接続され、トランジスタスイッチＴｒの他方端子は、リアクトルＬの一方端子およびダイオードＤのカソードに接続されている。リアクトルＬの他方端子は接地されている。ダイオードＤのアノードは、キャパシタＣの一方端子および負荷Ｒに接続されており、キャパシタＣの他方端子は接地され、負荷Ｒの他方端子も接地されている。
【００２８】  図１（Ａ）において、制御装置２は制御回路２１とドライバ２２とからなる。  制御回路２１は第１制御部（ディジタルＰＩＤ制御装置）２１１と、第２制御部（演算回路）２１２と、スイッチ駆動信号生成部（ＰＷＭ信号発生器）２１３とからなる。
【００２９】  図４は、図１に示した制御装置２の説明図である。  また、図５（Ａ），（Ｂ）および図６は、トランジスタスイッチＴｒのオン・オフ状態の遷移およびリアクトルＬを流れる電流（リアクトル電流ｉL）の変化を示す波形図である。  図１のＤＣ／ＤＣコンバータ１は、３つの動作モードＩ，ＩＩ，ＩＩＩで動作することができる。
【００３０】  図５（Ａ）に示す動作モードＩは、「連続モード」であり、このモードではリアクトル電流ＩLはゼロにはならない。この動作モードＩでは、ボトム値が正の値となった状態で制御がなされる。  図５（Ｂ）に示す動作モードＩＩは「不連続モード」であり、このモードではリアクトル電流ＩLは、１スイッチング期間内のある期間はゼロを継続する。ゼロ継続時間を、所望の値にする技術は周知である。電流不連続モードＩＩでは，スイッチング周期は一定とする。  図６に示す動作モードＩＩＩは「電流臨界モード」であり、このモードではリアクトル電流ＩLはゼロにはなるが、ゼロを継続することはない。  後述するが、図１（Ｂ）に示すように、第２制御部２１２はリアクトル電流のピーク値（ターンオフタイミング）を第１微分方程式により演算する（Ｓ１１０）。また、第２制御部２１２は、リアクトル電流のゼロ点（ボトム値）を第２微分方程式により演算する（Ｓ１２０）。これに基づき、トランジスタスイッチＴｒがオンされる。
【００３１】  以下、図４，図５（Ａ），（Ｂ）および図６を参照しつつ図１のＤＣ／ＤＣコンバータ１の動作を説明する。  ＤＣ／ＤＣコンバータ１の出力電圧ｅoは、増幅回路２３により増幅され、Ａ／Ｄ変換器２４によりディジタル信号（Ｎeo）に変換された後に第１制御部２１１および第２制御部２１２に入力される。また、ＤＣ／ＤＣコンバータ１の入力電圧Ｅiは、増幅回路２５により増幅され、Ａ／Ｄ変換器２６によりディジタル信号（ＮEi）に変換された後に第２制御部２１２に入力される（図６の時刻ｔ0参照）。  第１制御部２１１は、入力した検出値（ディジタル信号Ｎeo）に基づきトランジスタスイッチＴｒのオン状態保持時間（オン時間信号ＮTon＝ｔ2−ｔ1）を演算する。  この演算結果（オン時間信号ＮTon）は、スイッチ駆動信号生成部２１３に送出されるとともに、第２制御部２１２に送出される。
【００３２】  第２制御部２１２は、入力した検出値（ディジタル信号ＮEi）および第１制御部２１１から取得したオン状態保持時間（オン時間信号ＮTon）に基づき、リアクトルＬを流れる電流（リアクトル電流ｉL）のピーク値ｉL_pkを演算する。  これとともに、ピーク値ｉL_pkを初期値としてリアクトル電流ｉLが予め設定した値になるまでの時間（オフ時間ＮToff＝ｔ3−ｔ2）を演算し、この演算結果をスイッチ駆動信号生成部２１３に送出する。
【００３３】  スイッチ駆動信号生成部２１３は、第１制御部２１１から受け取ったオン時間信号ＮTonに基づくタイミングのＰＷＭ信号を生成し、これをドライバ２２に送出する。また、スイッチ駆動信号生成部２１３は、第２制御部２１２から受け取ったオフ時間ＮToffに基づくタイミングのＰＷＭ信号を生成し、これをドライバ２２に送出する。
【００３４】  以下、第２制御部２１１における、ピーク値ｉL_pkを求めるための処理、オフ時間ＮToffを求めるための処理を説明する。  図７（Ａ）は、ＤＣ／ＤＣコンバータ１の動作ステータスを示す図であり、トランジスタスイッチＴｒのＯＮ／ＯＦＦ、ダイオードＤのＯＮ／ＯＦＦの組み合わせにより、ＯＳ＿１，ＯＳ＿２，ＯＳ＿３の３つの動作ステータスが定義されている。
【００３５】  図７（Ｂ）は、動作モードと動作ステータスとの関係を示す図である。  動作モード（電流連続モード）Ｉでは、ステータスＯＳ＿１，ＯＳ＿２でともにリアクトル電流ｉLがゼロとならずに動作する。  動作モード（電流不連続モード）ＩＩでは、ステータスＯＳ＿１，ＯＳ＿２でリアクトル電流ｉLはゼロとはならないが、ステータスＯＳ＿２ではゼロとなる。  動作モード（電流臨界モード）ＩＩＩでは、ステータスＯＳ＿１，ＯＳ＿２でともにリアクトル電流ｉLはゼロを継続せずに瞬時ゼロとなる。
【００３６】  以下、動作モード（電流臨界モード）ＩＩＩとなる条件を求める場合を説明する。  図８（Ａ）は動作ステータスがＯＳ＿１のときのＤＣ／ＤＣコンバータ１の等価回路を示している。図８（Ｂ）は、動作ステータスがＯＳ＿１のときに、トランジスタスイッチＴｒのオン・オフ状態の遷移およびリアクトルＬを流れる電流（リアクトル電流ｉL）の変化を示す波形図である。  図８（Ａ）の等価回路から、以下の式が成立する。    Ｔon＝ｔ2−ｔ1    Ｅi−ｖTr＝Ｌ（ｄｉL／ｄｔ）＋ｒLｉL    ｅo＝ｅc・Ｒ／（Ｒ＋ｒc）    ｅc／（Ｒ＋ｒc）＝−Ｃ・（ｄｅc／ｄｔ）    Ｅi*＝Ｅi−ｖTr  ここで、Ｔon（＝ｔ2−ｔ1）は、スイッチのＯＮ時間、Ｅiは入力電圧、Ｅi*は入力電圧の平均値、ｖTrはトランジスタのオン時の電圧降下、ｉLはリアクトル電流、ｅoは出力電圧、ｅcはキャパシタ電圧、Ｒは負荷抵抗、ｒLはリアクトル抵抗、ｒcはキャパシタ抵抗である。
【００３７】  これらの式から、（１）式（本発明における第１微分方程式）が導出される。  ｉL（ｔ）＝Ｚ1＋Ｚ2（ｔ1）ｅｘｐ｛−Ａ1（ｔ−ｔ1）｝    ・・・（１）  ただし、  Ｚ1＝Ａ3／Ａ1，Ｚ2（ｔ1）＝Ａ2（ｔ1）Ａ3／Ａ1  Ａ1＝ｒ1／Ｌ，Ａ2（ｔ1）＝ｉL（ｔ1），Ａ3＝Ｅ1*／Ｌである。  （１）式から、ｔ＝ｔ2となるリアクトル電流ｉLのピーク値ｉL_pkを求めることができる。
【００３８】  図９（Ａ）は動作ステータスがＯＳ＿２のときのＤＣ／ＤＣコンバータ１の等価回路を示している。図９（Ｂ）は、動作ステータスがＯＳ＿２のときに、トランジスタスイッチＴｒのオン・オフ状態の遷移およびリアクトルＬを流れる電流（リアクトル電流ｉL）の変化を示す波形図である。
【００３９】  図９（Ａ）の等価回路から、（２）式が成立する。    Ｔoff＝ｔ3−ｔ2    −ｖD＝Ｌ（ｄｉL／ｄｔ）＋ｒLｉL＋ｅo    ・・・（２）    ｉL1＝Ｃ・（ｄｅc／ｄｔ）    ｅo＝ｅc＋ｒcｉL1    ｅo＝ＲｉL2    ｉL＝ｉL1＋ｉL2    ｅo＝ｅc・Ｒ／（Ｒ＋ｒc）＋ｉL・Ｒ・ｒc／（Ｒ＋ｒc）が成立する。
【００４０】  これらの式から、（３）式（本発明における第２微分方程式）が導出される。  ｉL（ｔ）＝Ｑ1＋［Ｑ2（ｔ）ｃｏｓ｛Ｂ4（ｔ−ｔ2）    ＋Ｑ3（ｔ2）ｓｉｎ｛Ｂ4（ｔ−ｔ2）｝］ｅｘｐ｛Ｂ3（ｔ−ｔ2）｝・・・（３）  ただし、  Ｂ3＝Ａ1／２  Ｂ4＝Ｄ1/2／２  Ｄ＝Ａ12−４Ａ2  Ｑ1＝Ａ3／Ａ2，Ｑ2（ｔ2）＝Ａ5（ｔ2）Ａ3／Ａ2，  Ｑ3（ｔ2）＝Ａ4（ｔ2）／Ｂ4＋｛Ｂ3Ａ5（ｔ2）／Ｂ4｝                          ×｛（Ａ1Ａ3＋Ａ3Ｂ3）／Ａ2Ｂ4｝  Ａ1＝１／Ｃ（Ｒ＋ｒc）＋ｒ2／Ｌ＋Ｒｒc／Ｌ（Ｒ＋ｒc）  Ａ2＝１／ＬＣ×｛（Ｒ＋ｒ2）／（Ｒ＋ｒc）｝  Ａ3＝ＥD／｛ＬＣ×（Ｒ＋ｒc）｝  Ａ4（ｔ2）＝（１／Ｌ）｛ＥD＋ｅo（ｔ2）｝                    ＋ｉL（ｔ2）（Ｌ＋ｒcＣＲ）／ＬＣ（Ｒ＋ｒc）  Ａ5（ｔ2）＝ｉL（ｔ2）＝ｉL_pkである。  （３）式から、ｉL＝０となる時刻ｔ（すなわち、電流臨界モードＩＩＩでのターンオンタイミング（ゼロクロス点））を求めることができる。
【００４１】  図２に示す降圧型のＤＣ／ＤＣコンバータ３（制御装置４）についても、上記と同様に等価回路から微分方程式（本発明における第１微分方程式および第２微分方程式）をつくり、これをら解くことで、リアクトル電流ｉLのピーク値，ゼロクロス点等を求めることができる。  図１０は、ＤＣ／ＤＣコンバータ３の動作ステータスがＯＳ＿１のときの動作説明図である。図１０（Ａ）はＤＣ／ＤＣコンバータ３の等価回路を示す図であり、図１０（Ｂ）はトランジスタスイッチＴrのオン・オフ状態の遷移およびリアクトル電流ｉLの変化を示す波形図である。
【００４２】  動作モード（電流臨界モード）ＩＩＩとなる条件を求める場合、図１０（Ａ）の等価回路から、以下の式が成立する。    Ｔon＝ｔ2−ｔ1    Ｅi−ｖTr＝Ｌ（ｄｉL／ｄｔ）＋ｒLｉL＋ｅo    ｅo＝ｅc・Ｒ／（Ｒ＋ｒc）    ｅc／（Ｒ＋ｒc）＝−Ｃ・（ｄｅc／ｄｔ）    Ｅi*＝Ｅi−ｖTr  ここで、Ｔon（＝ｔ2−ｔ1）は、スイッチのＯＮ時間、Ｅiは入力電圧、Ｅi*は入力電圧の平均値、ｖTrはトランジスタのオン時の電圧降下、ｉLはリアクトル電流、ｅoは出力電圧、ｅcはキャパシタ電圧、Ｒは負荷抵抗、ｒLはリアクトル抵抗、ｒcはキャパシタ抵抗である。これらから、微分方程式（本発明における第１微分方程式）が導出され、これを解くことでリアクトル電流のピーク値（電流臨界モードでのターンオフタイミング、すなわちオン時間）を求めることができる。
【００４３】  また、図１１は、ＤＣ／ＤＣコンバータ３の動作ステータスがＯＳ＿２のときの動作説明図である。図１１（Ａ）はＤＣ／ＤＣコンバータ３の等価回路を示す図であり、図１１（Ｂ）はトランジスタスイッチＴrのオン・オフ状態の遷移およびリアクトル電流ｉLの変化を示す波形図である。
【００４４】  動作モード（電流臨界モード）ＩＩＩとなる条件を求める場合、図１１（Ａ）の等価回路から、    Ｔoff＝ｔ3−ｔ2    ｖD＝Ｌ（ｄｉL／ｄｔ）＋ｒLｉL−ｅo    ｉL1＝Ｃ・（ｄｅc／ｄｔ）    ｅo＝ｅc＋ｒcｉL1    ｅo＝ＲｉL2    ｉL＝ｉL1＋ｉL2    ｅo＝ｅc・Ｒ／（Ｒ＋ｒc）＋ｉL・Ｒ・ｒc／（Ｒ＋ｒc）が成立する。  上記の関係式から微分方程式（本発明における第２微分方程式）をつくり、これを解くことで、リアクトル電流ｉLが前記所定の設定値となる時刻（電流臨界モードでのターンオンタイミング（ゼロクロス点）、すなわちオフ時間）を求めることができる。
【００４５】  図３に示す昇圧型のＤＣ／ＤＣコンバータ５（制御装置６）についても、上記と同様にして、各等価回路から第１微分方程式および第２微分方程式をつくり、これらを解くことで、リアクトル電流ｉLのピーク値、ゼロクロス点等を求めることができる。
【００４６】  図１２は、ＤＣ／ＤＣコンバータ３の動作ステータスがＯＳ＿１のときの動作説明図である。図１２（Ａ）はＤＣ／ＤＣコンバータ３の等価回路を示す図であり、図１２（Ｂ）はトランジスタスイッチＴrのオン・オフ状態の遷移およびリアクトル電流ｉLの変化を示す波形図である。
【００４７】  動作モード（電流臨界モード）ＩＩＩとなる条件を求める場合、図１２（Ａ）の等価回路から、次の関係式が成立する。    Ｔon＝ｔ2−ｔ1    Ｅi−ｖTr＝Ｌ（ｄｉL／ｄｔ）＋ｒLｉL    ｅo＝ｅc・Ｒ／（Ｒ＋ｒc）    ｅc／（Ｒ＋ｒc）＝−Ｃ・（ｄｅc／ｄｔ）    Ｅi*＝Ｅi−ｖTr  ここで、Ｔon（＝ｔ2−ｔ1）は、スイッチのＯＮ時間、Ｅiは入力電圧、Ｅi*は入力電圧の平均値、ｖTrはトランジスタのオン時の電圧降下、ｉLはリアクトル電流、ｅoは出力電圧、ｅcはキャパシタ電圧、Ｒは負荷抵抗、ｒLはリアクトル抵抗、ｒcはキャパシタ抵抗である。  上記の関係式から微分方程式（本発明における第１微分方程式）をつくり、これを解くことで、リアクトル電流ｉLのピーク値（電流臨界モードでのターンオフタイミング、すなわちオン時間）を求めることができる。
【００４８】  また、図１３は、ＤＣ／ＤＣコンバータ３の動作ステータスがＯＳ＿２のときの動作説明図である。図１３（Ａ）はＤＣ／ＤＣコンバータ３の等価回路を示す図であり、図１３（Ｂ）はトランジスタスイッチＴrのオン・オフ状態の遷移およびリアクトル電流ｉLの変化を示す波形図である。
【００４９】  動作モード（電流臨界モード）ＩＩＩとなる条件を求める場合、図１３（Ａ）の等価回路から、    Ｔoff＝ｔ3−ｔ2    Ｅi−ｖD＝Ｌ（ｄｉL／ｄｔ）＋ｒLｉL＋ｅo    ｉL1＝Ｃ・（ｄｅc／ｄｔ）    ｅo＝ｅc＋ｒcｉL1    ｅo＝ＲｉL2    ｉL＝ｉL1＋ｉL2    ｅo＝ｅc・Ｒ／（Ｒ＋ｒc）＋ｉL・Ｒ・ｒc／（Ｒ＋ｒc）が成立する。  上記の関係式から微分方程式（本発明における第２微分方程式）をつくり、これを解くことで、リアクトル電流ｉLが前記所定の設定値となる時刻（電流臨界モードでのターンオンタイミング（ゼロクロス点）、すなわちオフ時間）を求めることができる。
【００５０】  図１４は、図１に示した昇降圧型のＤＣ／ＤＣコンバータ１を、図１の制御装置２により電流臨界モードで制御したときのシミュレーション例を示すグラフである。  ここでは、Ｅi＝２０［Ｖ］，ｅo＝５［Ｖ］，Ｌ＝２０［μＨ］，Ｃ＝２７０［μＦ］，Ｒ＝１０［Ω］，ｆs＝１００［ｋＨｚ］であり、Ａ／Ｄ変換器の分解能を１０ｂｉｔｓとしてある。  図１４に示すように、本発明の制御装置によれば良好な電流臨界モード制御等のモード制御を行うことができる。
【００５１】  図１５は、本発明の電力変換回路（ＡＣ／ＤＣコンバータ）の制御装置の実施形態を示す図である。  図１５では、ＡＣ／ＤＣコンバータ７Ａは制御装置８Ａにより制御される。  図１５のＡＣ／ＤＣコンバータ７Ａは、交流電力を入力する整流回路ＲＣＤと、整流回路ＲＣＤの整流出力を入力するコンバータ（トランジスタスイッチＴｒ、リアクトルＬ、ダイオードＤおよびキャパシタＣからなる）とから構成されている。
【００５２】  整流回路ＲＣＤは、トランジスタスイッチＴｒの一方端子に接続され、トランジスタスイッチＴｒの他方端子は、リアクトルＬの一方端子およびダイオードＤのカソードに接続されている。  リアクトルＬの他方端子は接地されている。ダイオードＤのアノードは、キャパシタＣの一方端子および負荷Ｒに接続されており、キャパシタＣの他方端子は接地されている。
【００５３】  ＡＣ／ＤＣコンバータ７の出力端子（出力をＯＵＴで示す）は、図１，図２，図３で説明したＤＣ／ＤＣコンバータ１，３，５の入力端子に接続することができる（図示せず）。また、ＡＣ／ＤＣコンバータ７の出力端子は、負荷Ｒに接続することもできる（図示せず）。
【００５４】  制御装置８Ａは制御回路８１とドライバ８２とからなる。  制御回路８１は第１制御部（ディジタルＰＩＤ制御回路）８１１と、第２制御部（演算回路）８１２と、スイッチ駆動信号生成部（ＰＷＭ信号発生器）８１３とからなる。
【００５５】  図１６は、図１５に示した制御装置８Ａの詳しい説明図である。  ＡＣ／ＤＣコンバータ７Ａの出力電圧ｅoは、増幅回路８３により増幅され、Ａ／Ｄ変換器８４によりディジタル信号（Ｎeo）に変換された後に第１制御部８１１および第２制御部８１２に入力される。また、整流回路ＲＣＤの出力電圧（スイチング電源の入力電圧Ｅi）は、増幅回路８５により増幅され、Ａ／Ｄ変換器８６によりディジタル信号（ＮEi）に変換された後に第２制御部８１２に入力される。さらに、整流回路ＲＣＤの出力電流（スイチング電源の入力電流Ｉi）は、増幅回路８７により増幅され、Ａ／Ｄ変換器８８によりディジタル信号（ＮIi）に変換された後に第２制御部８１２に入力される。  第１制御部８１１は、入力した出力電圧Ｅoの検出値（ディジタル信号Ｎeo）と、スイッチング電源の入力電流Ｉiに基づき力率が改善されたＰＩＤ制御量を演算し、これをターンオフタイミング予測値（オン状態保持時間ＮTon）として、スイッチ駆動信号生成部８１３に送出する。
【００５６】  第２制御部８１２は、入力電圧Ｅiの検出値（ディジタル信号ＮEi）および第１制御部８１１から取得したオン状態保持時間（ＮTon）に基づき、リアクトル電流ｉLのピーク値ｉL_pkを演算する。  これとともに、第２制御部８１２は、ピーク値ｉL_pkを初期値としてリアクトルＬを流れる電流（リアクトル電流ｉL）が予め設定した値になるまでの時間（オフ時間ＮToff）を演算し、この演算結果をスイッチ駆動信号生成部８１３に送出する。
【００５７】  図１７は、本発明の電力変換回路（ＡＣ／ＤＣコンバータ）の制御装置の他の実施形態を示す図である。  図１７では、ＡＣ／ＤＣコンバータ７Ｂのスイッチング電源は昇圧型コンバータの構成をなす。制御装置８Ｂの構成および作用は図１５および図１６の制御装置８Ａと同じである。
【００５８】  図１８は、本発明の電力変換回路（第３制御部を備えたＡＣ／ＤＣコンバータ）の制御装置の実施形態を示す図である。  図１８では、ＡＣ／ＤＣコンバータ７Ａ′は制御装置８Ａ′により制御される。  図１８のＡＣ／ＤＣコンバータ７Ａ′は、交流電力を入力する整流回路ＲＣＤと、整流回路ＲＣＤの整流出力を入力するコンバータ（トランジスタスイッチＴｒ、リアクトルＬ、ダイオードＤおよびキャパシタＣからなる）とから構成されている。
【００５９】  整流回路ＲＣＤは、トランジスタスイッチＴｒの一方端子に接続され、トランジスタスイッチＴｒの他方端子は、リアクトルＬの一方端子およびダイオードＤのカソードに接続されている。  リアクトルＬの他方端子は接地されている。ダイオードＤのアノードは、キャパシタＣの一方端子および負荷Ｒに接続されており、キャパシタＣの他方端子は接地されている。
【００６０】  ＡＣ／ＤＣコンバータ７の出力端子（出力をＯＵＴで示す）は、図１，図２，図３で説明したＤＣ／ＤＣコンバータ１，３，５の入力端子に接続することができる（図示せず）。また、ＡＣ／ＤＣコンバータ７の出力端子は、負荷Ｒに接続することもできる（図示せず）。
【００６１】  制御装置８Ａ′は制御回路８１とドライバ８２とからなる。  制御回路８１は第１制御部（ディジタルＰＩＤ制御回路）８１１と、第２制御部（演算回路）８１２と、スイッチ駆動信号生成部（ＰＷＭ信号発生器）８１３と、第３制御部８１４とからなる。
【００６２】  図１９は、図１８に示した制御装置８Ａ′の詳しい説明図である。  ＡＣ／ＤＣコンバータ７Ａ′の出力電圧ｅoは、増幅回路８３により増幅され、Ａ／Ｄ変換器８４によりディジタル信号（Ｎeo）に変換された後に第１制御部８１１および第２制御部８１２に入力される。また、ＡＣ／ＤＣコンバータ７Ａ′の入力電圧Ｅiは、増幅回路８５により増幅され、Ａ／Ｄ変換器８６によりディジタル信号（ＮEi）に変換された後に第２制御部８１２および第３制御部８１４に入力される。
【００６３】  第１制御部８１１は、入力した検出値（ディジタル信号Ｎeo）に基づきＰＩＤ制御量をターンオフタイミング基礎値（ＮPID）として演算する。  このターンオフタイミング基礎値は、第３制御部８１４に送出される。  第３制御部８１４は、入力電圧Ｅiの検出値（ディジタル信号ＮEi）と、ターンオフタイミング基礎値（ＮPID）と、第２制御部８１２から入力したリアクトル電流ｉLのピーク値ｉL_pk（前回またはそれより前のスイッチング周期における検出値を採用できる）とから、オン時間信号ＮTonを生成し、これをスイッチ駆動信号生成部８１３に送出するとともに、第２制御部８１２に送出する。
【００６４】  第２制御部８１２は、入力電圧Ｅiの検出値（ディジタル信号ＮEi）および第３制御部８１４から取得したオン状態保持時間（オン時間信号ＮTon）に基づき、リアクトル電流ｉLのピーク値ｉL_pkを演算する。  これとともに、第２制御部８１２は、ピーク値ｉL_pkを初期値としてリアクトルＬを流れる電流（リアクトル電流ｉL）が予め設定した値になるまでの時間（オフ時間ＮToff）を演算し、この演算結果をスイッチ駆動信号生成部８１３に送出する。
【００６５】  スイッチ駆動信号生成部８１３は、第３制御部８１４から受け取ったオン時間信号ＮTonに基づくタイミングのＰＷＭ信号を生成し、これをドライバ８２に送出する。また、スイッチ駆動信号生成部８１３は、第２制御部８１２から受け取ったオフ時間ＮToffに基づくタイミングのＰＷＭ信号を生成し、これをドライバ８２に送出する。
【００６６】  制御装置８Ａ′によるターンオフタイミングの導出の手順を以下に示す。（ａ）  第１制御部８１１は、ＮEoから、ＰＤＩ制御量ＮPIDを計算する。（ｂ）第２制御部８１２は、前述の微分方程式（１）を立てて、ピーク値ＮiL_PKを計算する。（ｃ）第３制御部８１４は、以下の方程式によりオン時間ＮTon（ターンオフタイミング）を計算する。  ＮTon＝ＮB＋Ｋ（ＮiL_PK−ＮEi×ＮPID）
【００６７】  制御装置８Ａ′によるターンオンタイミング導出の手順を以下に示す。（ｄ）第２制御部８１２は、第３制御部８１４からＮTonの情報を受け取る。  また、第２制御部８１２は、ＮEi，ＮEoも取得している。（ｅ）第２制御部８１２は、ピーク値ＮiL_PKを初期値とする前述の微分方程式（（３）式、すなわち本発明における第２微分方程式）を立てて、オフ時間ＮToff（ターンオンのタイミング）を計算する。  以上のように、制御装置８Ａ′では、ターンオフのタイミングを調整することにより力率改善を行い、ターンオンのタイミングを調整することにより電流臨界モード制御を行っている。
【００６８】  図２０は、本発明の電力変換回路（第３制御部ＡＣ／ＤＣコンバータ）の制御装置の他の実施形態を示す図である。  図２０では、ＡＣ／ＤＣコンバータ７Ｂ′のスイッチング電源は昇圧型コンバータの構成をなす。制御装置８Ｂ′の構成および作用は図１８および図１９の制御装置８Ａ′と同じである。
【符号の説明】
【００６９】  １，３，５  ＤＣ／ＤＣコンバータ  ７，７Ａ，７Ａ′  ＡＣ／ＤＣコンバータ  ２，４，６，８，８Ｂ，８Ｂ′  制御装置  ２１，４１，６１，８１  制御回路  ２２，４２，６２，８２  ドライバ  ２３，２５，８３，８５  増幅回路  ２４，２６，８４，８６  Ａ／Ｄ変換器  ２１１，４１１，６１１，８１１  第１制御部  ２１２，４１２，６１２，８１２  第２制御部  ２１３，４１３，６１３，８１３  スイッチ駆動信号生成部  ８１４  第３制御部
【図１】
2013039250.tif 000003
【図２】
2013039250.tif 000004
【図３】
2013039250.tif 000005
【図４】
2013039250.tif 000006
【図５】
2013039250.tif 000007
【図６】
2013039250.tif 000008
【図７】
2013039250.tif 000009
【図８】
2013039250.tif 000010
【図９】
2013039250.tif 000011
【図１０】
2013039250.tif 000012
【図１１】
2013039250.tif 000013
【図１２】
2013039250.tif 000014
【図１３】
2013039250.tif 000015
【図１４】
2013039250.tif 000016
【図１５】
2013039250.tif 000017
【図１６】
2013039250.tif 000018
【図１７】
2013039250.tif 000019
【図１８】
2013039250.tif 000020
【図１９】
2013039250.tif 000021
【図２０】
2013039250.tif 000022
【図２１】
2013039250.tif 000023
【図２２】
2013039250.tif 000024
【図２３】
2013039250.tif 000025
【国際調査報告】
2013039250.tif 000026
2013039250.tif 000027